(57)【特許請求の範囲】
【請求項１】
表示手段の姿勢を第１表示姿勢と第２表示姿勢との間で相互に変更可能な携帯端末において、
前記第１表示姿勢と第２表示姿勢のうちのいずれか一方の表示姿勢で表示している画面を、他方の表示姿勢に変更した際に所定のダミー画面に切り換えて表示手段に表示し、前記表示手段の姿勢を元に戻した際に元の表示画面を表示することを特徴とする携帯端末の表示切換方法。
【請求項２】
前記ダミー画面は、所定の画像、ＷＥＢページ又は待受け画面であることを特徴とする請求項１記載の携帯端末の表示切換方法。
【請求項３】
前記ダミー画面は、複数の画面の中から選択されることを特徴とする請求項１又は２記載の携帯端末の表示切換方法。
【請求項４】
前記第１、第２表示姿勢は、各々、横長姿勢、縦長姿勢であることを特徴とする請求項１乃至３のいずれか一に記載の携帯端末の表示切換方法。
【請求項５】
第１表示姿勢と第２表示姿勢間で相互に変更可能な表示手段を有する携帯端末において、
前記表示手段の表示姿勢を検出し、前記表示手段の表示姿勢に応じた表示に切り換える制御手段を備えて成り、
前記制御手段は、前記表示手段が一方の表示姿勢から他方の表示姿勢に切り換えられたとき、所定のダミー画面を切り換え表示するように前記表示手段を制御することを特徴とする携帯端末。
【請求項６】
前記制御手段は、前記表示手段の表示姿勢が元に戻されたとき、元の画面に切り換え表示するように前記表示手段を制御することを特徴とする請求項５記載の携帯端末。
【請求項７】
前記第１、第２表示姿勢は、各々、横長姿勢、縦長姿勢であることを特徴とする請求項５又は６記載の携帯端末。
【請求項８】
前記ダミー画面は、所定の画像、ＷＥＢページ又は待受け画面であることを特徴とする請求項５乃至７のいずれか一に記載の携帯端末。
【請求項９】
前記制御手段は、記憶手段に記憶した複数の画面の中から前記ダミー画面として選択し表示させることを特徴とする請求項５乃至８のいずれか一に記載の携帯端末。
【発明の詳細な説明】
【技術分野】
【０００１】
本発明は、携帯電話等の携帯端末の表示切換方法及び携帯端末に関し、特に、表示部の姿勢を変更可能な携帯端末の表示切換方法及び携帯端末に関する。
【背景技術】
【０００２】
従来から、携帯電話、携帯型パーソナルコンピュータ（ＰＣ）、個人情報端末（ＰＤＡ）等の携帯端末が開発されており（特許文献１〜４参照）、又、前記携帯端末には表示部が設けられている。表示部に関連する文献として特許文献５、６のようなものがある。
従来、前記携帯端末において、表示部に表示している画面を他人に見られないようにするために、瞬時に別の画面に変更するものが開発されている（例えば特許文献１、２参照）。
【０００３】
これを実現する手法としては、画面切換え時に表示すべき画面を予め用意しておき、特定の操作ボタンの操作によって、表示の変更を行っている。
しかしながら、画面の変更を行いたい場合は緊急時であることが多いため、ボタン操作で画面を切換えるようにすると、誤操作によって変更できない恐れがある。
【０００４】
【特許文献１】特開２００７−９４３７８号公報
【特許文献２】特開２００６−１５７１８２号公報
【特許文献３】特開２００４−３１２２６１号公報
【特許文献４】特開２００７−２８１７３７号公報
【特許文献５】特開２００６−１３３３６８号公報
【特許文献６】特開２００６−１８５１９１号公報
【発明の開示】
【発明が解決しようとする課題】
【０００５】
本発明は上記問題点に鑑み成されたもので、誤操作の恐れがなく表示を瞬時且つ確実に切り換えることができるようにすることを課題としている。
【課題を解決するための手段】
【０００６】
本発明によれば、表示手段の姿勢を第１表示姿勢と第２表示姿勢との間で相互に変更可能な携帯端末において、前記第１表示姿勢と第２表示姿勢のうちのいずれか一方の表示姿勢で表示している画面を、他方の表示姿勢に変更した際に所定のダミー画面に切り換えて表示手段に表示し、前記表示手段の姿勢を元に戻した際に元の表示画面を表示することを特徴とする携帯端末の表示切換方法が提供される。
第１表示姿勢と第２表示姿勢のうちのいずれか一方の表示姿勢で表示している画面を、他方の表示姿勢に変更した際に所定のダミー画面に切り換えて表示手段に表示し、前記表示手段の姿勢を元に戻した際に元の表示画面を表示する。
【０００７】
ここで、前記ダミー画面は、所定の画像、ＷＥＢページ又は待受け画面であるように構成してもよい。
また、前記ダミー画面は、複数の画面の中から選択されるように構成してもよい。
また、前記第１、第２表示姿勢は、各々、横長姿勢、縦長姿勢であるように構成してもよい。
【０００８】
また、本発明によれば、第１表示姿勢と第２表示姿勢間で相互に変更可能な表示手段を有する携帯端末において、前記表示手段の表示姿勢を検出し、前記表示手段の表示姿勢に応じた表示に切り換える制御手段を備えて成ることを特徴とする携帯端末が提供される。
制御手段は、表示手段の表示姿勢を検出し、前記表示手段の表示姿勢に応じた表示に切り換える。
【０００９】
ここで、前記制御手段は、前記表示手段が一方の表示姿勢から他方の表示姿勢に切り換えられたとき、所定のダミー画面を切り換え表示するように前記表示手段を制御するよう構成してもよい。
また、前記制御手段は、前記表示手段の表示姿勢が元に戻されたとき、元の画面に切り換え表示するように前記表示手段を制御するよう構成してもよい。
【００１０】
また、前記第１、第２表示姿勢は、各々、横長姿勢、縦長姿勢であるように構成してもよい。
また、前記ダミー画面は、所定の画像、ＷＥＢページ又は待受け画面であるように構成してもよい。
また、前記制御手段は、記憶手段に記憶した複数の画面の中から前記ダミー画面として選択し表示させるように構成してもよい。
【発明の効果】
【００１１】
本発明の携帯端末の表示切換方法によれば、誤操作の恐れがなく表示を瞬時且つ確実に切り換えることが可能になる。
また、本発明の携帯端末によれば、誤操作の恐れがなく表示を瞬時且つ確実に切り換えることが可能になる。
【発明を実施するための最良の形態】
【００１２】
以下、本発明の実施の形態に係る携帯端末の表示切換方法及び携帯端末について説明する。尚、各図において、同一部分には同一符号を付している。
先ず、本願発明の実施の形態の概要を説明すると、本実施の形態は、携帯端末において、表示部の表示内容を他人に見られたくない状況になったとき、当該表示画面を表示部の姿勢変更によって瞬時に別の画面（ダミー画面）に変更するようにしたものである。
【００１３】
本実施の形態に係る携帯端末は、表示部の姿勢を横長から縦長に相互に変更可能な携帯端末において、横長または縦長の一方の状態で表示している画面を、表示部の姿勢を変更した際に別のダミー画面に切り換え、表示部の姿勢を元に戻した際に元の表示画面を表示することを特徴とする。
ダミー画面は、所定の画像、ＷＥＢページまたは待受け画面であってもよく、また、画面切換え時はこれら複数の画面の中から任意の画面が選択されることを特徴とするものである。
【００１４】
図１及び図２は、本発明の実施の形態に係る携帯端末１０の外観を示す図で、図１（Ａ）〜（Ｃ）は正面図、図２は底面図である。本実施の形態では、携帯端末１０として携帯電話の例を挙げている。
図１及び図２において、携帯端末１０は、表示部１３が設けられた表示側筐体１１と、操作部１４が設けられた操作側筐体１２とが、回転連結部材１５によって、図２に示すように、重なるように連結されている。表示側筐体１１と操作側筐体１２は、平行な面内で相対的に回転自在な構成となっている。
【００１５】
表示側筐体１１と操作側筐体１２とが重なっている状態を正面から見た図が図１（Ａ）であり、図１（Ａ）の状態の底面図が図２である。
同図（Ａ）の状態においては、操作側筐体１２の操作部１４は露出しておらず、表示部１３だけが露出している。よって、例えばテレビ放送など、全画面表示が好適なコンテンツの表示が適している。
【００１６】
図１（Ａ）の状態から表示側筐体１１を例えば時計回りに９０°回転させると同図（Ｂ）の状態となる。この状態においては、操作側筐体１２の操作部１４が露出し、表示部１３が横長の画面（第１表示姿勢）になる。よって、ＷＥＢページなど横画面の表示が好適で、且つ文字入力や画面スクロール等の操作が必要なコンテンツの表示が適している。
【００１７】
同図（Ｂ）の状態から表示側筐体１１をさらに時計回りに９０°回転させると同図（Ｃ）の状態となる。この状態においては、操作側筐体１２の操作部１４が露出し、かつ表示部１３が縦長の画面（第２表示姿勢）になる。よって、メールや通話など、既存の携帯電話と同様の表示／操作が適している。
【００１８】
図３に、本実施の形態に係る携帯端末１０のブロック図を示す。
携帯端末１０は、図示しない基地局との通信を行う通信回路である通信部１０１と、各部を制御するためのＣＰＵである制御部１０２と、ＬＣＤ等の表示デバイスである表示部１０３と、端末の制御プログラムやＷＥＢブラウザアプリケーション、ブックマーク情報、そして本実施の形態の画面切換設定情報等を格納するメモリである記憶部１０４と、キーボタンである操作部１０５と、図１（Ａ）（Ｂ）（Ｃ）に示した表示側筐体１１と操作側筐体１２の姿勢を検出する姿勢検出部１０６とから構成される。
【００１９】
姿勢検出部１０６は、ホール素子やマイクロスイッチ等、既存の技術によって実現できる。
尚、表示部１０３は表示手段を構成し、記憶部１０４は記憶手段を構成し、操作部１０５は操作手段を構成し、姿勢検出部１０６は姿勢検出手段を構成している。また、制御部１０２及び姿勢検出部１０６は制御手段を構成している。
【００２０】
図４に、携帯端末１０の記憶部１０４に画面切換設定情報を格納する画面切換設定情報テーブル２００の一例を示す。画面切換設定情報テーブル２００に格納された画面切換設定情報は、画面切換え操作を行ったときに表示するダミー画面の情報ソースを保存している。図示したように設定は複数（本実施の形態では設定１〜３）持っていてもよい。情報ソースは携帯端末１０の製造者やユーザが適宜設定し、例えばＷＥＢページのＵＲＬ（設定１）、画面メモとして保存したＷＥＢページや静止画（設定２）、或いは待受け画面（設定３）でもよい。
【００２１】
図５は、本発明の実施の形態の動作を説明するための説明図である。
以下、図１〜図５を用いて、本実施の形態に係る携帯端末の表示切換方法、携帯端末の動作を説明する。
図５において、同図（Ｅ）は横画面において、通常表示として所定のＷＥＢページ５０１を表示している状態を示す。
【００２２】
この通常画面を表示している通常表示状態において、表示している画面を他人に見られたくないとき、本実施の形態では表示側筐体１１を同図（Ｆ）の縦画面の状態に相対的に回転させることで、姿勢検出部１０６が表示側筐体１１の姿勢変更を検出し、表示部１３に表示している画面がダミー画面に切り換わる。
【００２３】
図５（Ｆ）はダミー画面としてユーザが画面切換設定情報テーブル２００に格納された画面切換設定情報の「設定１」を選択している場合で、ポータルサイト５０２を表示している。また、表示部１３を縦画面から横画面に戻すと、表示はダミー画面から通常表示である元のＷＥＢページ５０１の表示に戻るようにする。
尚、本実施の形態では横画面から縦画面に変更した際にダミー画面を表示するようにしたが、例えば縦画面でメールを作成・閲覧しているときに横画面にするとダミー画面を表示するようにしてもよい。
【００２４】
また、表示するダミー画面はユーザが選択してもよいし、画面切換設定情報テーブル２００に格納された画面切換設定情報の複数の設定の中からランダムに選択されるようにしてもよい。尚、図５の５０３は、画面切換設定情報テーブル２００に格納された画面切換設定情報の設定３のダミー画面である待受け画面５０３の例を示している。
【００２５】
以上説明した本実施の形態によれば、表示部１３の姿勢を横長表示姿勢と縦長表示姿勢との間で相互に変更可能にな携帯端末１０において、横長表示姿勢で表示しているＷｅｂページ５０１の画面を、横長表示姿勢に変更した場合にダミー画面であるポータルサイト５０２又は待ち受け画面５０３の表示画面に切り換えて表示し、表示部１０の姿勢を元の横長表示姿勢に戻した場合に元の表示画面５０１を表示する。
【００２６】
このように、表示切換操作を、ボタン操作ではなく、表示側筐体１１と操作側筐体１２の相対的な姿勢変更によって通常画面とダミー画面とを切換え表示するようにしたので、誤操作の心配がなく、表示を瞬時且つ確実にダミー画面に切り換えることが可能になる。また、通常画面に戻すことも容易に行うことが可能になる。
尚、携帯端末１０として、携帯電話、ＰＨＳ（Personal Handyphone System）、ＰＤＡ（Personal Data Assistance、Personal Digital Assistants：個人向け携帯型情報通信機器）、携帯型パーソナルコンピュータ等の各種の携帯端末が利用できる。
【産業上の利用可能性】
【００２７】
携帯電話、ＰＨＳ、ＰＤＡ、携帯型パーソナルコンピュータ等の各種の携帯端末に利用可能である。
【図面の簡単な説明】
【００２８】
【図１】本発明の実施の形態に係る携帯端末の外観を示す正面図である。
【図２】本発明の実施の形態に係る携帯端末の外観を示す底面図である。
【図３】本発明の実施の形態に係る携帯端末のブロック図である。
【図４】本発明の実施の形態に係る携帯端末に使用する画面切換設定情報の一例を示す図である。
【図５】本発明の実施の形態の動作を説明するための説明図である。
【符号の説明】
【００２９】
１０・・・携帯端末
１１・・・表示側筐体
１２・・・操作側筐体
１３・・・表示部
１４・・・操作部
１５・・・回転連結部材
１０１・・・通信部
１０２・・・制御部
１０３・・・表示部
１０４・・・記憶部
１０５・・・操作部
２００・・・画面切換設定情報テーブル
５０１・・・Ｗｅｂページ
５０２・・・ポータルサイト
５０３・・・待ち受け画面
【図１】
0005119980.tif 000002
【図２】
0005119980.tif 000003
【図３】
0005119980.tif 000004
【図４】
0005119980.tif 000005
【図５】
0005119980.tif 000006